(57)【要約】      （修正有）【課題】ボタン裏側のボタン穴部分を削り取る必要がなく、裏側にボタン穴のあるボタンを、簡単かつ交換可能に、イヤリング、ブローチ、ペンダントなどの装身具の装飾部材として使用することができるボタン用装身具アダプターを提供する。【解決手段】小径側端部に中心方向に折れ曲がり、ボタン４裏側のボタン穴４ａに差し込まれる係合片２ａを有する円錐コイルばね部２と、この円錐コイルばね部２の大径側端面に連結された、イヤリング金具などの装身具金具３とからなるボタン用装身具アダプター１であり、円錐コイルばね部２を圧縮して小径側端部の係合片２ａをボタン穴４ａに差し込むことにより、ばね力により大径側端面をボタン４の裏面に押し当てて円錐コイルばね部２とボタン４とを一体化することができるので、お気に入りのボタン４を装身具の装飾部材にすることができる。【選択図】図１
0003232018.tif 000002
【実用新案登録請求の範囲】
【請求項１】
円錐コイルばね部と、装身具金具とを備え、前記円錐コイルばね部は、ボタンの裏面に押し当てられる大径側端面と、小径側端部に、中心方向に折れ曲がってボタン裏側のボタン穴に差し込まれる係合片とを有し、前記円錐コイルばね部の大径側端面の外周部に、前記装身具金具を連結したことを特徴とするボタン用装身具アダプター。
【請求項２】
前記装身具金具が、耳たぶを挟持するイヤリング金具からなる請求項１記載のボタン用装身具アダプター。
【請求項３】
前記装身具金具が、ブローチ用金具からなる請求項１記載のボタン用装身具アダプター。
【請求項４】
前記装身具金具が、ペンダント用金具からなる請求項１記載のボタン用装身具アダプター。
【考案の詳細な説明】
【技術分野】
【０００１】
この考案は、裏側にボタン穴のあるボタンを、イヤリング、ブローチ、ペンダントなどの装身具の装飾部材として使用する際に、イヤリング金具などの装身具金具とボタンとを繋ぐボタン用装身具アダプターに関する。
【背景技術】
【０００２】
裏側にボタン穴のあるボタンは、装飾性に富んだものが多く、お気に入りのボタンをイヤリングやブローチといった装身具の装飾部材として使用することが従来から行われている。
【０００３】
例えば、従来、裏側にボタン穴のあるボタンをイヤリングの装飾部材として使用する場合は、特許文献１に示すように、ボタン裏側のボタン穴部分の出っ張りを、やすりなどの工具を用いて削り取り、ボタン穴を削り取ったボタン裏側に、耳たぶを挟持するイヤリング用金具といった装身具金具を接着剤によって直接接着している。
【先行技術文献】
【特許文献】
【０００４】
【特許文献１】実用新案登録第３０３１４８２号公報
【考案の概要】
【考案が解決しようとする課題】
【０００５】
ところが、従来のように、ボタンの裏側に、装身具金具を接着剤によって直接接着してしまうと、気分によってボタンを交換しようとした場合、接着剤を取り除いて装身具金具を取り外し、交換するボタンを再度貼り付ける必要があり、交換に手間が掛かって面倒であるし、接着剤を取り除く際に、ボタンを傷つけたり、装身具金具が壊れたりすることがあった。
【０００６】
また、装身具金具をボタンの裏側に接着するには、ボタンの裏側の出っ張ったボタン穴部分を削り取らなければならず、加工が面倒であるし、大事なボタンを傷つけるという問題があった。
【０００７】
そこで、この考案は、ボタン裏側のボタン穴部分を削り取る必要がなく、裏側にボタン穴のあるボタンを、簡単かつ交換可能に、イヤリング、ブローチ、ペンダントなどの装身具の装飾部材として使用することができるボタン用装身具アダプターを提供しようとするものである。
【課題を解決するための手段】
【０００８】
前記の課題を解決するこの考案のボタン用装身具アダプターは、円錐コイルばね部と、装身具金具とを備え、前記円錐コイルばね部は、ボタンの裏面に押し当てられる大径側端面と、小径側端部に、中心方向に折れ曲がってボタン裏側のボタン穴に差し込まれる係合片とを有し、前記円錐コイルばね部の大径側端面の外周部に、前記装身具金具を連結したことを特徴とする。
【０００９】
前記装身具金具としては、耳たぶを挟持するイヤリング金具、ブローチ用金具、ペンダント用金具などがある。
【考案の効果】
【００１０】
この考案のボタン用装身具アダプターは、円錐コイルばね部を圧縮して小径側端部の係合片をボタン穴に差し込むと、円錐コイルばね部のばね力により大径側端面がボタンの裏面に押し当てられ、円錐コイルばね部とボタンとが一体化する。
【００１１】
そして、ボタンの交換は、円錐コイルばね部を押し縮めて、小径側端部の係合片をボタン裏側のボタン穴から抜き取ることにより、容易に行うことができる。
【００１２】
したがって、この考案のボタン用装身具アダプターを使用すると、お気に入りのボタンをイヤリング、ブローチ、ペンダントなどの装飾部材として簡単に使用することができる。
【図面の簡単な説明】
【００１３】
【図１】この考案の実施形態に係るボタン用装身具アダプターをボタンに装着する前の状態を示す斜視図である。
【図２】図１のボタン用装身具アダプターをボタンに装着した状態を示す斜視図である。
【考案を実施するための形態】
【００１４】
以下、この考案の実施の形態を添付図面に基づいて説明する。
【００１５】
この考案の実施形態に係るボタン用装身具アダプター１は、図１及び図２に示すように、円錐コイルばね部２と、身体に装着するための装身具金具３とを備え、図１及び図２の実施形態では、装身具金具３として、耳たぶを挟持するイヤリング金具３ａを例示している。
【００１６】
円錐コイルばね部２は、小径側端部に中心方向に折れ曲がり、ボタン４裏側のボタン穴４ａに差し込まれる係合片２ａを有し、図２に示すように、円錐コイルばね部２を圧縮して小径側端部の係合片２ａをボタン穴４ａに差し込むと、ばね力により大径側端面がボタン４の裏面に押し当てられ、円錐コイルばね部２とボタン４とを一体化することができる。
【００１７】
そして、円錐コイルばね部２を押し縮めて、係合片２ａをボタン４裏側のボタン穴４ａから抜き取ることにより、簡単にボタン４を円錐コイルばね部２から分離することができる。
【００１８】
前記イヤリング金具３ａは、Ｕ字形部材３ａａとねじ式の蝶ばね部３ａｂとからなり、Ｕ字形部材３ａａの一端が円錐コイルばね部２の大径側端面の外周に熔接によって固着されている。蝶ばね部３ａｂは、Ｕ字形部材３ａａの他端に、ばね力によって起伏可能に連結され、蝶ばね部３ａｂを外側に倒すと、蝶ばね部３ａｂの先端に設けたねじ部材３ａｃが、ボタン穴４ａを有するボタン４の裏面の出っ張り部から離れ、蝶ばね部３ａｂを内側に起こすと、蝶ばね部３ａｂの先端のねじ部材３ａｃがボタン４の裏面の出っ張り部に近接して耳たぶを挟持することができる。このねじ部材３ａｃによる耳たぶに対する挟持力は、ねじ部材３ａｃを蝶ばね部３ａｂに対して進退させることによって調節することができる。
【００１９】
装身具金具３としては、イヤリング金具３ａ以外に、ブローチ用金具、ペンダント用金具などがある。
【００２０】
この考案は前述した実施形態に何ら限定されるものではなく、この考案の要旨を逸脱しない範囲において、さらに種々の形態で実施し得ることは勿論のことであり、この考案の範囲は、実用新案登録請求の範囲によって示され、さらに実用新案登録請求の範囲に記載の均等の意味、および範囲内の全ての変更を含む。
【符号の説明】
【００２１】
１      ：ボタン用装身具アダプター
２      ：円錐コイルばね部
２ａ    ：係合片
３      ：装身具金具
３ａ    ：イヤリング金具
３ａａ  ：Ｕ字形部材
３ａｂ  ：蝶ばね部
３ａｃ  ：ねじ部材
４      ：ボタン
４ａ    ：ボタン穴
【図１】
0003232018.tif 000003
【図２】
0003232018.tif 000004